(57)【特許請求の範囲】
【請求項１】
建物における引戸の方立と縦枠との間に施工される引戸用控え壁下地ユニットであって、
一側面に長さ方向に延びる縦溝を有し、各々の該縦溝同士が左右水平方向に互いに対向するように配置されて、前記方立および建物の躯体にそれぞれ取付可能な木製の角材からなる左右一対の左右縦桟と、
一側面に長さ方向に延びる横溝を有し、各々の横溝同士が上下方向に互いに対向するように配置されて、建物の躯体および床材上にそれぞれ取付可能な木製の角材からなる上下一対の上下横桟と、を備え、
前記一対の縦桟および横桟は、四方枠を組むように各々の端部同士が交差していて、該端部同士が交差する隅角部における前記縦溝および前記横溝に板状の接合部材が嵌め込まれた状態で互いに連結されており、
前記左右縦桟が前記方立および建物の躯体に対し、前記縦溝の開口側から挿入されて底壁部を貫通する締結具により取付可能であり、かつ前記上下横桟が建物の躯体および床上に対し、前記横溝の開口側から挿入されて底壁部を貫通する締結具により取付可能である、引戸用控え壁下地ユニット。
【請求項２】
請求項１に記載の引戸用控え壁下地ユニットにおいて、
前記左右縦桟間に配置され、長さ方向の両端部がそれぞれ前記上下横桟の長さ方向中間部に交差する中縦桟を備え、
前記中縦桟の両側面には、それぞれ長さ方向に延びる縦溝が前記左右縦桟の縦溝にそれぞれ対向するように形成され、
前記中縦桟と前記上下横桟とは、該中縦桟の端部が該上下横桟に交差する位置における該中縦桟の縦溝および該上下横桟の横溝に板状の接合部材が嵌め込まれた状態で互いに連結されている、引戸用控え壁下地ユニット。
【請求項３】
請求項２に記載の引戸用控え壁下地ユニットにおいて、
前記上下横桟間に配置され、長さ方向の両端部がそれぞれ前記左右縦桟および前記中縦桟の長さ方向に交差する複数の中横桟を備え、
前記中横桟の一側面には、長さ方向に延びる横溝が前記上下横桟のいずれか一方の横溝に対向するように形成され、
前記中横桟と前記縦桟とは、該中横桟の端部が該左右縦桟に交差する位置における該中横桟の横溝および該左右縦桟の縦溝に板状の接合部材が嵌め込まれた状態で互いに連結されており、
前記中横桟と前記中縦桟とは、該中横桟の端部が該中縦桟に交差する位置における該中横桟の横溝および該中縦桟の縦溝に板状の接合部材が嵌め込まれた状態で互いに連結されている、引戸用控え壁下地ユニット。
【請求項４】
請求項１〜３のいずれか１項に記載の引戸用控え壁下地ユニットにより施工された引戸用控え壁構造であって、
前記引戸用控え壁下地ユニットは、前記左右縦桟が前記方立および建物の躯体にそれぞれ固定されかつ前記上下横桟が建物の躯体および床材上にそれぞれ固定されており、
前記方立および建物の床に取り付けられた前記引戸用控え壁下地ユニットの両面に壁材がそれぞれ取り付けられている、引戸用控え壁構造。
【請求項５】
請求項４に記載の引戸用控え壁構造の施工方法において、
前記左右縦桟および前記上下横桟が四方枠を組むように各々の端部同士を交差させて、該端部同士が交差する隅角部における前記縦溝および前記横溝に板状の接合部材を嵌め込んで、該左右縦桟および該上下横桟を互いに連結するステップと、
前記左右縦桟を前記方立および建物の躯体にそれぞれ固定しかつ前記上下横桟を建物の躯体および床材上にそれぞれ固定するステップと、
前記引戸用控え壁下地ユニットの両面に壁材をそれぞれ取り付けるステップと、を備える、引戸用控え壁構造の施工方法。
【発明の詳細な説明】
【技術分野】
【０００１】
本発明は、引戸用控え壁下地ユニット、引戸用控え壁構造、およびその製造方法に関するものである。
【背景技術】
【０００２】
従来から、左右一対の縦枠および上下一対の横枠により形成された四方枠内に複数の中横桟を上下に組み込んだ軸組型の控え壁下地ユニットが引戸装置の引戸枠に取り付けられ、その控え壁下地ユニット表面に石膏ボード等からなる壁材が貼り付けられた引き戸用控え壁構造が知られている。そのような引き戸用控え壁構造として、例えば特許文献１および２のようなものが存在している。
【０００３】
特許文献１には、軸組型の引戸用控え壁下地ユニットとそのユニット表面に貼り付けられるボードとで構成され、住宅の開口枠体に引戸用控え壁下地ユニットを施工する方法であって、工場で軸組型の引戸用控え壁下地ユニットを組み立て、施工現場において、その軸組を開口枠体に取付けた後、その表面にボードを貼付けてなる引戸用控え壁構造の施工方法が開示されている。
【０００４】
また、特許文献２には、縦桟の外側面に長さ方向に延びる縦溝が設けられている一方、横桟の外側面に長さ方向に延びる横溝が設けられており、縦桟および横桟を四方枠に組んだ状態で、その隅角部に位置する縦溝および横溝にＬ字型金具が埋設固定されることで縦桟および横桟が互いに固定されている引戸用控え壁構造が開示されている。なお、この引戸用控え壁構造では、縦桟同士の対向する側面に上下に等間隔で埋め込まれた複数のダボと、側面に、水平方向に開口するダボ係止溝が長さ方向に延びるように形成された中横桟とを備え、ダボ係止溝が水平方向に開口した状態で、左右の縦桟に埋め込まれたダボがダボ係止溝の端部内に係止されて中横桟が左右の縦桟に取り付けられている。
【先行技術文献】
【特許文献】
【０００５】
【特許文献１】特許第４１８１９４２号公報
【特許文献２】特許第５６８４７５９号公報
【発明の概要】
【発明が解決しようとする課題】
【０００６】
ここで、上記特許文献１の引き戸用控え壁構造では、工場製造時に何らかの誤差が生じて出荷後のユニットサイズが引戸枠の大きさに適合しないような場合、現場で控え壁ユニットの大きさを微調整することが困難となっていた。また、この引き戸用控え壁構造では、工場組立後のユニットを施工現場に搬送する手間がかかってしまうという問題もあった。
【０００７】
一方、特許文献２の引き戸用控え壁ユニットでは、既に施工されている引戸枠の大きさに適合するように施工現場でユニット組立を行うように構成されている。そして、縦桟および横桟を四方枠に組んだ状態の隅角部に位置する縦溝および横溝にＬ字型金具が埋設固定されることから、ユニット組立を容易に行えるようするための構造上の工夫もなされている。しかしながら、この引き戸用控え壁ユニットでは、引戸枠および建物の躯体に取り付けるための構造上の工夫が何らされていないため、引戸枠および建物の躯体にこのユニットを容易に取り付けることができなかった。
【０００８】
本発明は斯かる点に鑑みてなされたものであり、その目的は、引戸用控え壁下地ユニットの構造に工夫を加えることにより、軸組型の引き戸用控え壁ユニットを容易に組み立てることができるとともに、引戸枠および建物の躯体に対して容易に取り付けることができるようにすることにある。
【課題を解決するための手段】
【０００９】
上記の目的を達成するために、本発明の第１の形態による引戸用控え壁下地ユニットは、建物における引戸の方立と縦枠との間に施工されるものであって、一側面に長さ方向に延びる縦溝を有し、各々の縦溝同士が左右水平方向に互いに対向するように配置されて、方立および建物の躯体にそれぞれ取付可能な木製の角材からなる左右一対の左右縦桟と、一側面に長さ方向に延びる横溝を有し、各々の横溝同士が上下方向に互いに対向するように配置されて、建物の躯体および床材上にそれぞれ取付可能な木製の角材からなる上下一対の上下横桟と、を備え、一対の縦桟および横桟は、四方枠を組むように各々の端部同士が交差していて、端部同士が交差する隅角部における縦溝および横溝に板状の接合部材が嵌め込まれた状態で互いに連結されており、左右縦桟が方立および建物の躯体に対し、縦溝の開口側から挿入されて底壁部を貫通する締結具により取付可能であり、かつ上下横桟が建物の躯体および床上に対し、横溝の開口側から挿入されて底壁部を貫通する締結具により取付可能であることを特徴とする。
【００１０】
この第１の形態では、四方枠の隅角部における縦溝および横溝に接合部材が嵌め込まれた状態で縦桟および横桟が互いに連結されていることから、強固に縦桟および横桟を連結できるとともに、縦桟および横桟を容易に組み立てることができる。また、縦桟を方立および建物の躯体に、また横桟を建物の躯体および床上にそれぞれ締結具によって取付固定するとき、その締結具を縦溝および横溝の開口側から挿入し底壁部を貫通させて方立および躯体に締結するので、縦溝内および横溝内に開口側から締結具を挿入して縦溝および横溝の底壁部に貫通させやすくなり、引戸枠および建物の躯体などに対して引戸用控え壁下地ユニットを容易に取り付けることができる。
【００１１】
第２の形態は、第１の形態において、左右縦桟間に配置され、長さ方向の両端部がそれぞれ上下横桟の長さ方向中間部に交差する中縦桟を備え、中縦桟の両側面には、それぞれ長さ方向に延びる縦溝が左右縦桟の縦溝にそれぞれ対向するように形成され、中縦桟と上下横桟とは、中縦桟の端部が上下横桟に交差する位置における中縦桟の縦溝および上下横桟の横溝に板状の接合部材が嵌め込まれた状態で互いに連結されていることを特徴とする。
【００１２】
この第２の形態では、中縦桟が四方枠内に組み込まれることにより、ユニット全体における上下方向の反りや衝撃に対する耐性を向上させることができる。また、中縦桟と上下横桟との連結態様は、縦桟および横桟の連結態様と同じように構成されるため、ユニットの構成部品を削減して特に現場におけるユニット組立作業を簡素化することができる。
【００１３】
第３の形態は、第２の形態において、上下横桟間に配置され、長さ方向の両端部がそれぞれ左右縦桟および中縦桟の長さ方向に交差する複数の中横桟を備え、中横桟の一側面には、長さ方向に延びる横溝が上下横桟のいずれか一方の横溝に対向するように形成され、中横桟と縦桟とは、中横桟の端部が左右縦桟に交差する位置における中横桟の横溝および左右縦桟の縦溝に板状の接合部材が嵌め込まれた状態で互いに連結されており、中横桟と中縦桟とは、中横桟の端部が中縦桟に交差する位置における中横桟の横溝および中縦桟の縦溝に板状の接合部材が嵌め込まれた状態で互いに連結されていることを特徴とする。
【００１４】
この第３の形態では、複数の中横桟が四方枠内に組み込まれることにより、ユニット全体における左右方向の反りや衝撃に対する耐性をより一層向上させることができる。また、中横桟と縦桟との連結態様および中横桟と中縦桟との連結態様は、縦桟および横桟の連結態様と同じように構成されるため、ユニットの構成部品を削減して特に特に現場におけるユニット組立作業を簡素化することができる。
【００１５】
第４の形態は、第１〜第３の形態のいずれか１つの引戸用控え壁下地ユニットにより施工された引戸用控え壁構造であって、引戸用控え壁下地ユニットは、左右縦桟が方立および建物の躯体にそれぞれ固定されかつ上下横桟が建物の躯体および床材上にそれぞれ固定されており、方立および建物の床に取り付けられた引戸用控え壁下地ユニットの両面に壁材がそれぞれ取り付けられていることを特徴とする。
【００１６】
この第４の形態では、第１の形態と同様の作用効果を得ることができる。
【００１７】
第５の形態は、第４の形態における引戸用控え壁構造の施工方法であって、左右縦桟および上下横桟が四方枠を組むように各々の端部同士を交差させて、端部同士が交差する隅角部における縦溝および横溝に板状の接合部材を嵌め込んで、左右縦桟および上下横桟を互いに連結するステップと、左右縦桟を方立および建物の躯体にそれぞれ固定しかつ上下横桟を建物の躯体および床材上にそれぞれ固定するステップと、引戸用控え壁下地ユニットの両面に壁材をそれぞれ取り付けるステップと、を備えることを特徴とする。
【００１８】
この第５の形態では、第１の形態と同様の作用効果を得ることができる。
【発明の効果】
【００１９】
以上説明したように、本発明によると、四方枠に組まれる左右縦桟および上下横桟の各側面にそれぞれ縦溝および横溝を形成し、縦桟および横桟が交差する隅角部における縦溝および横溝に接合部材が嵌め込まれた状態で縦桟および横桟が互いに連結されていることから、強固に縦桟および横桟を連結できるとともに、縦桟および横桟を容易に組み立てることができる。また、縦溝および横溝に締結具を挿通しやすくなり、引戸枠および建物の躯体などに対して引戸用控え壁下地ユニットを容易に取り付けることができる。
【図面の簡単な説明】
【００２０】
【図１】図１は、本発明の第１実施形態に係る引戸用控え壁構造を示す分解斜視図である。
【図２】図２は、引戸用控え壁下地ユニットの取付状態を引戸とともに示す斜視図である。
【図３】図３は、引戸用控え壁下地ユニットの取付状態を示す正面図である。
【図４】図４は、図３のIV−IV線断面図である。
【図５】図５は、図３のV−V線断面図である。
【図６】図６は、左右縦桟を示す斜視図である。
【図７】図７は、上下横桟（中横桟）を示す斜視図である。
【図８】図８は、中縦桟を示す斜視図である。
【図９】図９は、接合部材を示す斜視図である。
【図１０】図１０は、引戸用控え壁下地ユニットを接合部材を除いた状態で示す分解斜視図である。
【図１１】図１１は、接合部材による各桟の連結状態を拡大して示す正面図である。
【図１２】図１２は、接合部材を用いて各桟を連結する際の斜視図である。
【図１３】図１３は、方立および建物の躯体に引戸用控え壁下地ユニットを取り付ける際の斜視図である。
【図１４】図１４は、図１３における右側の縦桟および下側の横桟を拡大して示す斜視図である。
【図１５】図１５は、引戸用控え壁下地ユニットに壁材を取り付ける際の斜視図である。
【図１６】図１６は、スペーサを用いて引戸用控え壁下地ユニットを引戸枠に取り付ける際の正面図である。
【発明を実施するための形態】
【００２１】
以下、本発明の実施形態を図面に基づいて詳細に説明する。以下の実施形態の説明は、本質的に例示に過ぎず、本発明、その適用物或いはその用途を制限することを意図するものではない。
【００２２】
図１は、引戸用控え壁下地ユニット２０により施工された引戸用控え壁構造１を示している。ここで、２は建物の開口部、３は開口部２周囲の左側部分を形成する左柱、４は同右側部分を形成する右柱、５は同上側部分を形成するまぐさである。
【００２３】
図２に示すように、建物の開口部２には、例えば右開きの引戸１０ａを有する引戸装置１０が設置されている。図３〜図５にも示すように、この引戸装置１０は、引戸枠１１を備えている。引戸枠１１は、左右方向に互いに間隔を空けて立設される戸先側縦枠１２および戸尻側縦枠１３と、これら縦枠１２，１３の上端部間に架け渡されて連結固定された左右水平方向に延びる鴨居１４（横枠）と、戸先側及び戸尻側縦枠１２，１３間の中央位置に立設され、上端部が鴨居１４に連結固定された方立１５とを備えている。戸先側縦枠１２は右柱４の左側面に、また戸尻側縦枠１３は左柱３の右側面に、さらに鴨居１４はまぐさ５の下面にそれぞれ固定されている。
【００２４】
図４に示すように、引戸用控え壁下地ユニット２０は、引戸枠１１を構成する方立１５と戸尻側縦枠１３との間に施工されるもので、方立１５および建物の床Ｆに取り付けられている。そして、図１に示すように、引戸用控え壁構造１は、引戸用控え壁下地ユニット２０の両面に石膏ボードからなる壁材６が取り付けられている状態として構成されている。
【００２５】
図１〜図５に示すように、引戸用控え壁下地ユニット２０は、左右一対の左右縦桟２１，２１および上下一対の上下横桟２２，２２を備え、左右縦桟２１，２１の上下端部間に上下横桟２２，２２の各々が架け渡されるように構成されている。具体的には、引戸用控え壁下地ユニット２０は、本実施形態において、左右縦桟２１，２１の上下端部間にそれぞれ上下横桟２２，２２が後述する中縦桟２３を介して架け渡されることで、四方枠を構成するようになっている。左右縦桟２１，２１および上下横桟２２，２２の各々は、いずれも木製の角材（例えば約４０ｍｍ×３０ｍｍの角材）で構成されている。左右縦桟２１，２１の各々は、建物の床Ｆからまぐさ５までの上下高さの寸法に合わせて適切な長さになるように加工されている。また、上下横桟２２，２２の各々は、いずれも左右方向に延びる同じ長さの一対の桟材２２ａ，２２ａに分割され、各桟材２２ａは、縦桟２１と後述する中縦桟２３との間に納まるような左右幅寸法に加工されている。
【００２６】
図５および図６に示すように、左右縦桟２１，２１の各々の一側面には、長さ方向に延びる縦溝２５が設けられている。また、図４および図７に示すように、上下横桟２２，２２の各々の一側面には、長さ方向に延びる横溝２６が設けられている。この縦溝２５および横溝２６は、いずれもその両溝壁面間の間隔が後述する板状の接合部材２７を密着状態で嵌め込むことが可能な程度の寸法に形成されており、例えば５．５〜６．０ｍｍの寸法に設定されている。そして、図４および図５に示すように、引戸用控え壁下地ユニット２０は、縦桟２１および横桟２２の端部同士が組み合わされた状態において、縦溝２５および横溝２６が互いに連通するように構成されている。
【００２７】
また、図１〜図５に示すように、引戸用控え壁下地ユニット２０は、左右縦桟２１，２１間に配置される中縦桟２３を備え、この中縦桟２３は、長さ方向の両端部がそれぞれ上記上下横桟２２，２２の左右長さ方向中間部に交差するようになっている。この中縦桟２３は、左右縦桟２１，２１と同様の木製の角材（例えば約４０ｍｍ×３０ｍｍの角材）からなり、左右縦桟２１，２１と同じ長さになるように加工されている。図８に示すように、中縦桟２３の両側面には、それぞれ長さ方向に延びる縦溝２５，２５が設けられている。より具体的には、図５に示すように、中縦桟２３の両縦溝２５，２５は、左右縦桟２１，２１の各々の縦溝２５にそれぞれ対向するように形成されている。なお、中縦桟２３の両縦溝２５，２５の各々は、左右縦桟２１の縦溝２５と同じ形状になるように形成されているため、その詳細な説明は省略する。
【００２８】
さらに、図１〜図５および図７に示すように、引戸用控え壁下地ユニット２０は、上側の横桟２２と下側の横桟２２との間に配置され、長さ方向の両端部がそれぞれ左右縦桟２１，２１および中縦桟２３の長さ方向に交差する複数の中横桟２４，２４，…を備えている。複数の中横桟２４，２４，…は、左右縦桟２１，２１の長さ方向略中間部と、上側の横桟２２寄りの位置とで、それぞれ左右一対になるように縦桟２１，２１の各々と中縦桟２３との間に配置されている。また、各中横桟２４は、上下横桟２２の各々の桟材２２ａと同じ長さを有する角材からなり、その一側面には上下横桟２２に設けられている横溝２６と同様の横溝２６が設けられている。そして、この横溝２６，２６，…は、中横桟２４，２４，…が引戸用控え壁下地ユニット２０に組み込まれた状態で、いずれも上方に開口するように配置されている。
【００２９】
図１〜図５に示すように、各桟の連結部分には、板状の接合部材２７，２７，…が取り付けられている。図９に示すように、この接合部材２７は、略正方形状の木製板材で構成されており、例えば板厚が５．５ｍｍで縦横ともに４０ｍｍ×４０ｍｍの大きさに形成されている。
【００３０】
そして、図１１にも示すように、左右縦桟２１，２１および上下横桟２２，２２は、四方枠を組むように各々の端部同士が交差していて、端部同士が交差する隅角部における縦溝２５および横溝２６に板状の接合部材２７がそれぞれ嵌め込まれた状態で互いに連結されている。具体的には、左右縦桟２１，２１および上下横桟２２，２２の端部同士が交差する隅角部において、各々の互いに連通している縦溝２５および横溝２６に接合部材２７の側端部が嵌め込まれた状態で、ビスＶ（締結具）を縦桟２１および横桟２２の表裏面から接合部材２７までねじ込むことにより、縦桟２１と横桟２２とが接合部材２７を介して互いに一体的に固定されている（図１２参照）。
【００３１】
また、中縦桟２３と上下横桟２２，２２とは、縦桟２１および横桟２２との連結構造と同様にして、中縦桟２３の端部が上下横桟２２，２２に交差する位置における中縦桟２３の縦溝２５および上下横桟２２，２２の横溝２６に接合部材２７が嵌め込まれた状態で同様にしてビスＶにより互いに連結固定されている。
【００３２】
さらに、中横桟２４と縦桟２１とは、中横桟２４の端部が左右縦桟２１，２１に交差する位置における中横桟２４の横溝２６および左右縦桟２１，２１の縦溝２５に板状の接合部材２７が嵌め込まれた状態で同様に互いに連結固定されている。中横桟２４と中縦桟２３とは、中横桟２３の端部が中縦桟２３に交差する位置における中横桟２４の横溝２６および中縦桟２３の縦溝２５に板状の接合部材２７が嵌め込まれた状態で同様に互いに連結されている。
【００３３】
そして、図１〜図４に示すように、引戸用控え壁下地ユニット２０が組み立てられた状態において、左側の縦桟２１および右側の縦桟２１は、中縦桟２３を挟んで、縦溝２５，２５同士が左右水平方向に互いに対向するように配置されている。また、図１〜図３および図５に示すように、上横桟２２の桟材２２ａ，２２ａおよび下横桟２２の桟材２２ａ，２２ａは、中横桟２４を挟んで、横溝２６，２６同士が上下方向に互いに対向するように配置されている。
【００３４】
図１〜図５に示すように、引戸用控え壁下地ユニット２０は、建物の開口部２に設置された引戸枠１１ならびに建物の躯体および床Ｆに固定されている。具体的には、図４に示すように、方立１５側に配置される右側の縦桟２１では、その縦溝２５に開口側からビスＶが挿入され、このビスＶが縦溝２５の底壁部を貫通して方立１５に締結されることにより、右側の縦桟２１が方立１５にねじ止めされている（図１４参照）。同様に、左柱３側に配置される左側の縦桟２１では、縦溝２５に開口側からビスＶが挿入され、このビスＶが縦溝２５の底壁部を貫通して左柱３に締結されることにより、左側の縦桟２１が左柱３にねじ止めされている。
【００３５】
また、図５に示すように、まぐさ５側に配置される上側の横桟２２では、その横溝２６に開口側からビスＶが挿入され、このビスＶが縦溝２５の底壁部を貫通してまぐさ５に締結されることにより、上側の横桟２２がまぐさ５にねじ止めされている。同様に、建物の床Ｆ側に配置される下側の横桟２２では、その横溝２６に開口側からビスＶが挿入され、このビスＶが縦溝２５の底壁部を貫通して床Ｆに締結されることにより、下側の横桟２２が床Ｆにねじ止めされている（図１４参照）。
【００３６】
次に、この実施形態に係る引戸用控え壁下地ユニット２０による引戸用控え壁構造１の施工方法を説明する。
【００３７】
はじめに、引戸用控え壁下地ユニット２０の組み立てを行う。まず、図１０に示すように、戸尻側縦枠１３から方立１５までの左右幅および建物の床Ｆからまぐさ５までの上下高さの各寸法を測定し、その各寸法に適合するように左側の縦桟２１、右側の縦桟２１、上横桟２２の桟材２２ａ，２２ａ、下横桟２２の桟材２２ａ，２２ａ、中縦桟２３、および４本の中横桟２４，２４，…を準備する。
【００３８】
次に、図１１に示すように、左右縦桟２１，２１および上下横桟２２，２２が四方枠を組むように各々の端部同士を交差させ、端部同士が交差する隅角部における縦溝２５および横溝２６に接合部材２７を嵌め込んで、左右縦桟２１，２１および上下横桟２２，２２を互いに連結する。具体的には、図１２に示すように、互いに連通させた縦溝２５および横溝２６に接合部材２７の側端部を嵌め込む。その状態で、ビスＶにより縦桟２１と接合部材２７と横桟２２とを固定する。
【００３９】
また、縦桟２１および横桟２２との連結方法と同じように、中縦桟２３を上下横桟２２，２２に連結する。具体的には、図１１に示すように、中縦桟２３の端部を上下横桟２２，２２に交差する位置における中縦桟２３の縦溝２５および上下横桟２２，２２の横溝２６に接合部材２７，２７をそれぞれ嵌め込む。その状態で、ビスＶにより中縦桟２３と接合部材２７，２７と横桟２２，２２とをそれぞれ固定する。
【００４０】
さらに、上記と同様の方法により、中横桟２４を縦桟２１，２１および中縦桟２３に連結する。具体的には、図１１に示すように、中横桟２４の端部が左右縦桟２１，２１に交差する位置における中横桟２４の横溝２６および左右縦桟２１，２１の縦溝２５に接合部材２７，２７をそれぞれ嵌め込む。その状態で、ビスＶにより中横桟２４と接合部材２７と縦桟２１とを固定する。また、ビスＶにより中横桟２４と接合部材２７と中縦桟２３とを固定する。
【００４１】
以上により、引戸用控え壁下地ユニット２０の組み立てが完了する。
【００４２】
次に、引戸用控え壁下地ユニット２０を建物の開口部２に設置された引戸枠１１および建物の床Ｆに固定する。具体的には、図１３に示すように、方立１５側に配置される右側の縦桟２１では、その縦溝２５に開口側からビスＶを挿入し、このビスＶを縦溝２５の底壁部を貫通させて方立１５に締結して、右側の縦桟２１を方立１５にねじ止めする（図４および図１４参照）。同様に、左柱３側に配置される左側の縦桟２１では、その縦溝２５に開口側からビスＶを挿入し、このビスＶを縦溝２５の底壁部を貫通させて左柱３に締結して、左側の縦桟２１を左柱３（建物の躯体）にねじ止めする（図４参照）。
【００４３】
また、まぐさ５側に配置される上側の横桟２２では、その横溝２６に開口側からビスＶを挿入し、このビスＶを縦溝２５の底壁部を貫通させてまぐさ５に締結して、上側の横桟２２をまぐさ５にねじ止めする（図５参照）。同様に、建物の床Ｆ側に配置される下側の横桟２２では、その横溝２６に開口側からビスＶを挿入し、このビスＶを縦溝２５の底壁部を貫通させて床Ｆに締結して、下側の横桟２２を床Ｆにねじ止めする（図５および図１４参照）。
【００４４】
最後に、図１５に示すように、引戸枠１１および建物の床Ｆに固定した引戸用控え壁下地ユニット２０の両面に石膏ボードからなる壁材６，６をビスＶによりねじ止めする。以上により、引戸用控え壁下地ユニット２０による引戸用控え壁構造１の施工が完了する。
【００４５】
以上のように、本実施形態に係る引戸用控え壁下地ユニット２０では、四方枠の隅角部における縦溝２５および横溝２６に接合部材２７が嵌め込まれた状態で左右縦桟２１，２１および上下横桟２２，２２，…が互いに連結されていることから、強固に縦桟２１および横桟２２を連結できるとともに、縦桟２１および横桟２２を容易に組み立てることができる。また、縦桟２１，２１を方立１５および建物の躯体に、また横桟２２，２２を建物の躯体および床Ｆ上にそれぞれビスＶによって取付固定するとき、そのビスＶを縦溝２５および横溝２６の開口側から挿入し底壁部を貫通させて方立１５および躯体に締結するので、縦溝２５内および横溝２６内に開口側からビスＶを挿入して縦溝２５および横溝２６の底壁部に貫通させやすくなり、引戸枠１１および建物の躯体などに対して引戸用控え壁下地ユニット２０を容易に取り付けることができる。
【００４６】
また、本実施形態では、中縦桟２３が四方枠内に組み込まれることにより、ユニット２０全体における上下方向の反りや衝撃に対する耐性を向上させることができる。また、中縦桟２３と上下横桟２２との連結態様は、縦桟２１および横桟２２の連結態様と同じように構成されているため、ユニット２０の構成部品を削減して特に現場におけるユニット組立作業を簡素化することができる。
【００４７】
さらに、本実施形態では、複数の中横桟２４，２４，…が四方枠内に組み込まれることにより、ユニット２０全体における左右方向の反りや衝撃に対する耐性をより一層向上させることができる。また、中横桟２４と縦桟２１との連結態様および中横桟２４と中縦桟２３との連結態様は、縦桟２１および横桟２２の連結態様と同じように構成されているため、ユニット２０の構成部品を削減して特に特に現場におけるユニット組立作業を簡素化することができる。
【００４８】
［その他の実施形態］
上記実施形態では、左側の縦桟２１が左柱３（建物の躯体）に固定され、上側の横桟２２がまぐさ５に固定される形態を示したが、この形態に限られない。例えば、図１６に示すように、引戸枠１１の大きさが建物の開口部２よりも小さい場合には、建物の開口部２を構成する左柱３、右柱４およびまぐさ５と引戸枠１１との間にスペーサ３０，３０，…が挿入されることになる。このような場合において、引戸枠１１に引戸用控え壁下地ユニット２０を取り付けるときに、左柱３側に配置される左側の縦桟２１は、その縦溝２５に開口側からビスＶを挿入し、そのビスＶを縦溝２５の底壁部を貫通させて左柱３の手前に挿入されたスペーサ３０に締結すればよい。同様に、まぐさ５側に配置される上側の横桟２２，２２は、その横溝２６に開口側からビスＶを挿入し、そのビスＶを縦溝２５の底壁部を貫通させてまぐさ５の手前に挿入されたスペーサ３０に締結すればよい。
【００４９】
以上、本発明についての実施形態を説明したが、本発明は上述の実施形態のみに限定されず、発明の範囲内で種々の変更が可能である。
【産業上の利用可能性】
【００５０】
本発明は、引戸装置の引戸枠に取り付けられる軸組用の引戸用控え壁下地ユニットおよびそれを備える引戸用控え壁構造として産業上の利用が可能である。
【符号の説明】
【００５１】
１：引戸用控え壁構造
２：開口部
３：左柱
４：右柱
５：まぐさ
６：壁材
１０：引戸装置
１１：引戸枠
１２：戸先側縦枠
１３：戸尻側縦枠
１４：鴨居（横枠）
１５：方立
２０：引戸用控え壁下地ユニット
２１：左右縦桟
２２：上下横桟
２３：中縦桟
２４：中横桟
２５：縦溝
２６：横溝
２７：接合部材
３０：スペーサ
Ｆ：床
Ｖ：ビス（締結具）
【図１】
0006317719.tif 000002
【図２】
0006317719.tif 000003
【図３】
0006317719.tif 000004
【図４】
0006317719.tif 000005
【図５】
0006317719.tif 000006
【図６】
0006317719.tif 000007
【図７】
0006317719.tif 000008
【図８】
0006317719.tif 000009
【図９】
0006317719.tif 000010
【図１０】
0006317719.tif 000011
【図１１】
0006317719.tif 000012
【図１２】
0006317719.tif 000013
【図１３】
0006317719.tif 000014
【図１４】
0006317719.tif 000015
【図１５】
0006317719.tif 000016
【図１６】
0006317719.tif 000017